(57)【要約】【課題】生産ラインでの調整時に、作業者がディスプレイ上の大まかな位置にプローブを当てて調整を行っていたため、不均一性の影響で調整にばらつきが生じてしまうという問題点があった。【解決手段】調整モードにおいて、受像機の画面上に十字のＯＳＤの表示を行い、前記十字のＯＳＤの縦と横の直線の座標を変更して前記十字の交点を変更し、前記十字の交点上にプローブを合わせ、前記受像機の画面上にウインドウのＯＳＤ表示を複数個所に設置して、それぞれの個所で輝度及び／又は色度を計測し、前記複数個所で計測したデータからばらつきの基準値を計算し、前記基準値から最もばらつきの少ないと判定された位置で受像機の調整を行う。【選択図】図１
2008219357.tif 000002
【特許請求の範囲】
【請求項１】
表示装置の画面上に十字型の表示を行うステップと、
前記十字型の表示の縦と横の直線の座標を変更して前記十字の交点の位置を変更するステップと、
前記十字の交点上にプローブを合わせるステップと、
を備えたことを特徴とする表示装置の画像調整方法。
【請求項２】
調整モードにおいて、受像機の画面上に十字のＯＳＤ表示を行うステップと、
前記十字のＯＳＤ表示の縦と横の直線の座標を変更して前記十字の交点の位置を変更するステップと、
前記十字の交点上にプローブを合わせるステップと、
を備えたことを特徴とする調整時のプローブ位置決定方法。
【請求項３】
調整モードにおいて、受像機の画面上に十字のＯＳＤの表示を行い、
前記十字のＯＳＤの縦と横の直線の座標を変更して前記十字の交点を変更し、
前記十字の交点上にプローブを合わせ、
前記受像機の画面上にウインドウのＯＳＤ表示を複数個所に設置して、それぞれの個所で輝度及び／又は色度を計測し、
前記複数個所で計測したデータからばらつきの基準値を計算し、
前記基準値から最もばらつきの少ないと判定された位置で受像機の調整を行うことを特徴とする調整時のプローブ位置決定方法。
【請求項４】
請求項２または請求項３に記載の調整時のプローブ位置決定方法において、
前記プローブは輝度計のプローブであることを特徴とする調整時のプローブ位置決定方法。
【請求項５】
受像機に内蔵されたＯＳＤ部が、調整モードにおいて、前記受像機の画面上に十字のＯＳＤ表示を行って、前記受像機の画面に対するプローブ位置を設定することを特徴とする調整位置の決定可能な受像機。
【請求項６】
請求項５に記載の受像機において、
前記受像機のリモコン部あるいは制御部に、前記十字のＯＳＤ表示の縦と横の直線の座標を変更して前記十字の交点の位置を変更する操作手段を備えたことを特徴とする調整位置の決定可能な受像機。
【請求項７】
請求項６に記載の受像機において、
前記受像機の画面に対する前記プローブの縦方向と横方向に位置を変更する制御手段を備え、前記十字のＯＳＤ表示の縦と横の直線の座標の変更に対応して、前記プローブの縦方向と横方向に位置を制御することを特徴とする調整位置の決定可能な受像機。
【請求項８】
請求項５ないし請求項７のいずれかに記載の受像機において、
前記受像機の画面上の複数個所にウインドウのＯＳＤ表示を行うように構成した前記ＯＳＤ部と、
前記プローブを前記複数個所の位置に設定する前記制御手段と、
前記複数個所で計測した輝度及び／又が色度のデータからばらつきの基準値を計算する計算手段と、
前記基準値から最もばらつきの少ないと判定された位置に前記プローブの位置を設定して受像機の調整を行う制御手段と、
を備えていることを特徴とする調整位置の決定可能な受像機。
【発明の詳細な説明】
【技術分野】
【０００１】
本発明は、表示装置の画像調整方法に関し、特に、受像機のホワイトバランスや黒レベル等の調整を行う際の輝度計のプローブでの測定位置の決定方法、及び調整位置の決定可能な受像機に関する。
【背景技術】
【０００２】
ディスプレイのホワイトバランス等の調整を行う時、画面内の不均一性の影響で、輝度計で測定したときのプローブの位置によって調整にばらつきが生じるが、このばらつきを少なくして調整を行うためには、ディスプレイ上でのプローブの位置を決める必要がある。
この従来技術として、特定のパターンを信号発生器から出力してディスプレイ上に表示して、ディスプレイ上の輝度計測定位置を自動的に検出するという技術がある（例えば、特許文献１、特許文献２参照）。
【０００３】
特許文献１には、カラーディスプレイに調整パターンを表示させ、該調整ＯＳＤを少なくとも１台のカメラで計測して画像処理し、該画像処理の情報に基づいて調整ＶＲを調整するカラーディスプレイ調整装置において、それぞれのカメラを前記調整パターンの計測位置に自動位置決めさせるカメラ位置決め手段と、ホワイトバランス又は色むらよりなる調整パターンを表示させ、該調整パターンを具備したことを特徴とするカラーディスプレイ調整装置が記載されている。
【０００４】
また、特許文献２には、色度の異なるカラー表示パターンを発生し、該カラー表示パターンを表示手段により表示し、該表示を表示面に対向して固定した輝度と色度を検出する測定器で測定した値により画面位置を検出することを特徴とする画面位置検出方法が記載されている。
【特許文献１】特開平４−２３６９２号公報
【特許文献２】特開平６−３４２２６７号公報
【発明の開示】
【発明が解決しようとする課題】
【０００５】
従来、生産ラインでの調整時に、作業者がディスプレイ上の大まかな位置にプローブを当てて調整を行っていたため、不均一性の影響で調整にばらつきが生じてしまうという問題点があった。
【０００６】
本発明は、受像機のディスプレイ上に十字ＯＳＤ（Ｏｎ  Ｓｃｒｅｅｎ  Ｄｉｓｐｌａｙ）を表示するＯＳＤ部を内蔵させることで、ホワイトバランスや黒レベル等の調整を行う際の輝度計での測定箇所を決定することを目的とする。
【課題を解決するための手段】
【０００７】
本発明の表示装置の画像調整方法では、表示装置の画面上に十字型の表示を行うステップと、前記十字型の表示の縦と横の直線の座標を変更して前記十字の交点の位置を変更するステップと、前記十字の交点上にプローブを合わせるステップと、を備えたことを特徴とする。
また、本発明の調整時のプローブ位置決定方法では、調整モードにおいて、受像機の画面上に十字のＯＳＤ表示を行うステップと、前記十字のＯＳＤ表示の縦と横の直線の座標を変更して前記十字の交点の位置を変更するステップと、前記十字の交点上にプローブを合わせるステップと、を備えたことを特徴とする。また、調整モードにおいて、受像機の画面上に十字のＯＳＤの表示を行い、前記十字のＯＳＤの縦と横の直線の座標を変更して前記十字の交点を変更し、前記十字の交点上にプローブを合わせ、前記受像機の画面上にウインドウのＯＳＤ表示を複数個所に設置して、それぞれの個所で輝度及び／又は色度を計測し、前記複数個所で計測したデータからばらつきの基準値を計算し、前記基準値から最もばらつきの少ないと判定された位置で受像機の調整を行うことを特徴とする。
【０００８】
また、本発明の調整位置の決定可能な受像機では、受像機に内蔵されたＯＳＤ部が、調整モードにおいて、前記受像機の画面上に十字のＯＳＤ表示を行って、前記受像機の画面に対するプローブ位置を設定することを特徴とする。
【発明の効果】
【０００９】
本発明によれば、ＯＳＤ部が受像機側に内蔵されているため、輝度の測定位置の指定が作業者に左右されにくく、調整のばらつきが少なくなる。また、ディスプレイ全体に対して、輝度や色の平均との差が少ない箇所で調整を行うため、調整のばらつきが少なくすることができる。
【発明を実施するための最良の形態】
【００１０】
以下、図面を用いて、本発明の実施の形態について説明する。
【実施例１】
【００１１】
図１は、本発明の実施例１の十字型ＯＳＤ表示を行う受像機を示す。図１において、１は受像機、２は受像機の表示画面、３は十字型ＯＳＤ表示を示す。
【００１２】
受像機２には、ＯＳＤ部が内蔵されており、ホワイトバランス調整等の専用モードに入ると、まず十字のＯＳＤが表示される。図１においては、画面の輝度が低下した状態（黒色の画面）に、白色の十字のＯＳＤ３が表示されている。十字型ＯＳＤ表示３は、受像機１の表示画面２を垂直に横切る垂直線が交叉する交点を形成する。この十字の交点は、輝度計等のプローブを受像機の表示画面の特定位置に設定するために用いられる。
【００１３】
なお、十字のＯＳＤ表示は、黒色の背景色と白色の十字型に限らず、背景色と十字型の輝度及び／又は色度を異なるように任意に表示することができる。また、十字の各線が画面の端部に到達しないで画面内に十字が形成されるものであってよく、十字の方向も水平／垂直に限らず、一定角度回転させたものであっても良い。
【実施例２】
【００１４】
図２は、本発明の実施例２の十字型ＯＳＤ表示の十字の交点の変更を示す。図２において、図１と同様に、１は受像機、２は受像機の表示画面、３は十字型ＯＳＤ表示を示す。４は十字型ＯＳＤ表示の座標を示している。Ｘ５１２は、交点のＸ軸上の座標５１２を示し、Ｙ３８４は、交点のＹ軸上の座標３８４を示す。
【００１５】
図示しない受像機のリモコンあるいは受像機に付属の操作部の、例えば、上下左右の操作キーを操作することにより、交点のＸ軸上の座標とＹ軸上の座標を変更することができる。即ち、十字のＯＳＤの縦と横の直線の座標を変更することで、十字の交点を変更することができ、輝度計等のプローブを受像機の表示画面の特定位置に設定するための十字型ＯＳＤ表示の十字の交点の位置を変更することができる。
【実施例３】
【００１６】
図３は、本発明の実施例３の十字の交点上にプローブを合わせることを示す図である。図３において、図１と同様に、１は受像機、２は受像機の表示画面、３は十字型ＯＳＤ表示を示す。５は輝度計等のプローブを示す。輝度計等は、輝度計あるいは色度計の単独の計器でもよく、輝度計と色度計の兼用の計器でもよく、また、画像の特性、画質等を測定する任意の計器でもよい。
【００１７】
図３において、輝度計等のプローブの位置の設定は、十字３の交点上にプローブ５を合わせるようにして行われる。位置の設定はプローブからの光線が十字３の交点上に合致するように輝度計等の位置を調整する方法や、表示画面上の、異なる輝度及び／又は色度を有する背景と十字を輝度計等で計測して、最大の輝度及び／又は色度を検出するように輝度計等の位置を調整する方法が可能である。
【００１８】
また、図３においては、輝度計等は三脚で支持されているだけであるが、輝度計等を表示画面に対向して、縦方向と横方向に位置を変更する制御機構を備えるようにして、輝度計等のプローブが、十字型ＯＳＤ表示３の交点に精確に位置するように制御することが可能である。更に、このように、輝度計等のプローブを十字型ＯＳＤ表示３の交点に位置決めした後は、図２に示されるように、十字型ＯＳＤ表示３の交点の位置を変更すると、これに追随して輝度計等のプローブを縦方向と横方向に位置を制御することもできる。
【実施例４】
【００１９】
図４は、本発明の実施例４の最適な測定位置の決定方法を示している。図４において、１は受像機、２は受像機の表示画面、５は輝度計等のプローブを示す。６は表示画面上に縦横複数に配列されたウインドウＯＳＤを示す。受像機２に内蔵されたＯＳＤ部は、十字型ＯＳＤ表示３のみならず、縦横複数に配列されたウインドウＯＳＤ６をも表示画面２に表示することができる。
【００２０】
ウインドウのＯＳＤを画面複数箇所に配置し、上記実施例１から実施例３に示されたいずれかの方法を用いて、輝度計等のプローブ５をそれぞれウインドウのＯＳＤに対向させ、それぞれウインドウに対して、輝度計等を用いて輝度及び／又は色度を計測する。測定データから平均や分散等のばらつきの基準となる値を計算し、その基準値から最もばらつきが少ないと場所を選び、最もばらつきが少ない判定された位置で調整を実施する。ディスプレイ全体に対して、輝度や色の平均との差が少ない箇所で調整を行うため、調整のばらつきが少なくすることができる。
【実施例５】
【００２１】
図５は、本発明の実施例５の調整時のプローブ位置決定方法のフローチャートである。図５のステップＳ１において、調整モードが開始されると、まず、ステップＳ２において、受像機１の表示画面２に十字型ＯＳＤ表示３が表示される。十字型ＯＳＤ表示３には、水平線と垂直線が交叉する交点が形成されており、ステップＳ３において、受像機のリモコンあるいは受像機に付属の操作部の、例えば、上下左右の操作キーを操作することにより、交点のＸ軸上の座標とＹ軸上の座標を変更する。次いで、ステップＳ３において、上記の十字型ＯＳＤ表示３の交点に対向させて、輝度計等のプローブ５の位置を設定する。上記のステップＳ２〜ステップＳ４によりプローブの位置決定が行われる。
【００２２】
次いで、ステップＳ５において、ＯＳＤ部により、表示画面上に縦横複数に配列されたウインドウＯＳＤ６が表示される。ステップＳ６において、ウインドウＯＳＤ６に輝度計等のプローブが対向され、輝度・色度の計測が行われる。そして、ステップＳ７において、計測された各ウインドウＯＳＤ６で輝度・色度の計測データから平均や分散等のばらつきの基準となる値が計算される。ステップＳ８において、その基準値から最もばらつきが少ないと場所が最適位置として決定される。
【００２３】
最後に、ステップＳ９において、決定された最適位置において、受像機の画像の調整が行われる。そして、ステップＳ９において、調整が実行された後、ステップＳ１０において調整モードが終了する。
【００２４】
以上の説明では、本発明は、特に、受像機のホワイトバランスや黒レベル等の調整を行う際の輝度計のプローブでの測定位置の決定方法、及び調整時のプローブ位置決定可能な受像機に関するものとして説明したが、本発明は、上記に限定されることなく、表示装置の画像調整方法に適用可能である。
【図面の簡単な説明】
【００２５】
【図１】図１は、本発明の実施例１の十字型ＯＳＤ表示を行う受像機を示す図である。
【図２】図２は、本発明の実施例２の十字型ＯＳＤ表示の十字の交点の変更を示す図である。
【図３】図３は、本発明の実施例３の十字の交点上にプローブを合わせる図である。
【図４】図４は、本発明の実施例４の最適な測定位置の決定方法を示す図である。
【図５】図５は、本発明の実施例５の調整時のプローブ位置決定方法の手順のフローチャートである。
【符号の説明】
【００２６】
１    受像機
２    受像機の表示画面
３    十字型ＯＳＤ表示
４    十字型ＯＳＤの交点の座標
５    輝度計等のプローブ
【図１】
2008219357.tif 000003
【図２】
2008219357.tif 000004
【図３】
2008219357.tif 000005
【図４】
2008219357.tif 000006
【図５】
2008219357.tif 000007